(57)【要約】【課題】システムを一時停止させることなく監視機能の切り替えを行うことができる監視システムを提供する。【解決手段】監視装置１は、監視機能の切替指示を受け付ける切替指示受付部１１を有し、上位装置２は、切替後の監視機能は上位装置２または下位装置３のどちらが実施する監視機能であるかを判定する機能判定部２２と、上位装置２で実施する場合、下位無効指示情報を作成する下位無効指示作成部２５２と、上位装置２にて切替後の監視機能を有効とする上位有効制御部２４１と、下位装置３で実施する場合、上位装置２にて監視機能を無効とする上位無効制御部２４２と、下位有効指示情報を作成する下位有効指示作成部２５１と、下位無効指示情報または下位有効指示情報を送信する下位制御指示送信部２６とを有し、下位装置３は、監視機能を無効または有効にする下位監視制御部を有する。【選択図】図１
2019115010.tif 000002
【特許請求の範囲】
【請求項１】
監視装置と１つ以上の上位装置と１つ以上の下位装置とがネットワークを介して接続され、前記監視装置が前記上位装置または前記下位装置を介して１つ以上の監視ポイントを監視または制御する監視システムにおいて、
前記監視装置は、
前記１つ以上の監視ポイントのうちの対象監視ポイントに対する監視機能の切替指示を受け付ける切替指示受付部と、
前記切替指示受付部が受け付けた切替指示に関する情報を前記上位装置に送信する切替指示送信部とを有し、
前記上位装置は、
前記切替指示送信部が送信した切替指示に関する情報を受信する切替指示受信部と、
前記切替指示受信部が受信した切替指示に関する情報と、前記上位装置または前記下位装置が実施する監視機能の対応関係を示す機能切替用情報とに基づき、前記切替指示で指示された切替後の監視機能は前記上位装置または前記下位装置のどちらが実施する監視機能であるかを判定する機能判定部と、
前記機能判定部が、前記切替後の監視機能は前記上位装置で実施する監視機能であると判定した場合、
前記下位装置に対して、前記対象監視ポイントに対して実施中の監視機能を無効にさせる下位無効指示情報を作成する下位無効指示作成部と、
前記上位装置において、前記対象監視ポイントに対する前記切替後の監視機能を有効とする上位有効制御部と、
前記機能判定部が、前記切替後の監視機能は前記下位装置で実施する監視機能であると判定した場合、
前記上位装置において、前記対象監視ポイントに対して実施中の監視機能を無効とする上位無効制御部と、
前記下位装置に対して、前記対象監視ポイントに対する前記切替後の監視機能を有効にさせる下位有効指示情報を作成する下位有効指示作成部と、
前記下位無効指示作成部が作成した下位無効指示情報、または、前記下位有効指示作成部が作成した下位有効指示情報を前記下位装置に送信する下位制御指示送信部とを有し、
前記下位装置は、
前記下位制御指示送信部から送信された下位無効指示情報または下位有効指示情報を受信する下位制御指示受信部と、
前記下位制御指示受信部が受信した下位無効指示情報または下位有効指示情報に基づき、前記下位装置で実施する、前記対象監視ポイントに対する監視機能を、無効または有効にする下位監視制御部とを有する
ことを特徴とする監視システム。
【請求項２】
監視装置と１つ以上の上位装置と１つ以上の下位装置とがネットワークを介して接続され、前記監視装置が前記上位装置または前記下位装置を介して１つ以上の監視ポイントを監視または制御する監視システムにおける監視方法であって、
前記監視装置において、
切替指示受付部が、前記１つ以上の監視ポイントのうちの対象監視ポイントに対する監視機能の切替指示を受け付けるステップと、
切替指示送信部が、前記切替指示受付部が受け付けた切替指示に関する情報を前記上位装置に送信するステップとを有し、
前記上位装置において、
切替指示受信部が、前記切替指示送信部が送信した切替指示に関する情報を受信するステップと、
機能判定部が、前記切替指示受信部が受信した切替指示に関する情報と、前記上位装置または前記下位装置が実施する監視機能の対応関係を示す機能切替用情報とに基づき、前記切替指示で指示された切替後の監視機能は前記上位装置または前記下位装置のどちらが実施する監視機能であるかを判定するステップと、
前記機能判定部が、前記切替後の監視機能は前記上位装置で実施する監視機能であると判定した場合、
下位無効指示作成部が、前記下位装置に対して、前記対象監視ポイントに対して実施中の監視機能を無効にさせる下位無効指示情報を作成するステップと、
上位有効制御部が、前記上位装置において、前記対象監視ポイントに対する前記切替後の監視機能を有効とするステップと、
前記機能判定部が、前記切替後の監視機能は前記下位装置で実施する監視機能であると判定した場合、
上位無効制御部が、前記上位装置において、前記対象監視ポイントに対して実施中の監視機能を無効とするステップと、
下位有効指示作成部が、前記下位装置に対して、前記対象監視ポイントに対する前記切替後の監視機能を有効にさせる下位有効指示情報を作成するステップと、
下位制御指示送信部が、前記下位無効指示作成部が作成した下位無効指示情報、または、前記下位有効指示作成部が作成した下位有効指示情報を前記下位装置に送信するステップとを有し、
前記下位装置において、
下位制御指示受信部が、前記下位制御指示送信部から送信された下位無効指示情報または下位有効指示情報を受信するステップと、
下位監視制御部が、前記下位制御指示受信部が受信した下位無効指示情報または下位有効指示情報に基づき、前記下位装置で実施する、前記対象監視ポイントに対する監視機能を、無効または有効にするステップとを有する
ことを特徴とする監視方法。
【請求項３】
監視装置および１つ以上の下位装置とネットワークを介して接続され、前記監視装置による制御に基づき、１つ以上の監視ポイントを監視または制御する上位装置であって、
前記監視装置から送信された、前記１つ以上の監視ポイントのうちの対象監視ポイントに対する監視機能の切替指示に関する情報を受信する切替指示受信部と、
前記切替指示受信部が受信した切替指示に関する情報と、前記上位装置または前記下位装置が実施する監視機能の対応関係を示す機能切替用情報とに基づき、前記切替指示で指示された切替後の監視機能は前記上位装置または前記下位装置のどちらが実施する監視機能であるかを判定する機能判定部と、
前記機能判定部が、前記切替後の監視機能は前記上位装置で実施する監視機能であると判定した場合、
前記下位装置に対して、前記対象監視ポイントに対して実施中の監視機能を無効にさせる下位無効指示情報を作成する下位無効指示作成部と、
前記上位装置において、前記対象監視ポイントに対する前記切替後の監視機能を有効とする上位有効制御部と、
前記機能判定部が、前記切替後の監視機能は前記下位装置で実施する監視機能であると判定した場合、
前記上位装置において、前記対象監視ポイントに対して実施中の監視機能を無効とする上位無効制御部と、
前記下位装置に対して、前記対象監視ポイントに対する前記切替後の監視機能を有効にさせる下位有効指示情報を作成する下位有効指示作成部と、
前記下位無効指示作成部が作成した下位無効指示情報、または、前記下位有効指示作成部が作成した下位有効指示情報を前記下位装置に送信する下位制御指示送信部
とを備えた上位装置。
【発明の詳細な説明】
【技術分野】
【０００１】
この発明は、施設内の各種の制御機器等を監視または制御する監視システム、監視方法、および、上位装置に関するものである。
【背景技術】
【０００２】
従来、施設内の各種の監視ポイントを監視する施設監視システムにおいて、オープン化、マルチベンダ化が進み、マルチベンダとの共通のインタフェースをもつオフィスネットワークを介して各種装置を接続して、一つの施設監視システムを構築することが普及している（特許文献１参照）。このような施設監視システムでは、オフィスネットワークを介して接続される各種装置には、複数のメーカの装置が採用され得る。
【先行技術文献】
【特許文献】
【０００３】
【特許文献１】特開２００７−２６５１０９号公報
【発明の概要】
【発明が解決しようとする課題】
【０００４】
ネットワークを介して複数の装置が接続される監視システムを構築する場合、接続されている複数の装置が保有する機能に機能差があると、監視システムでは、随時、当該装置間の機能差を吸収する仕組みを備えるようにしなければならない。
そこで、従来、例えば、機能が乏しい装置がネットワークの下位に接続されている場合、当該下位の装置（以下、「下位装置」という。）の上位に接続されている装置（以下、「上位装置」という。）が、下位装置の機能を代行するようにしている。
上述のように、複数の異なるメーカの装置が接続されるようになると、装置間で、保有する機能に機能差がある確率も高くなり、当該機能差を吸収する仕組みを備える必要性も増す。
各監視ポイントに対する監視機能を実施させる装置を上位装置とするか、下位装置とするかについては、管理者等が、予め、管理対象ごとにエンジニアリングしておく必要があった。
そのため、例えば、監視システムの運用開始後に、実施させる監視機能に変更があり、変更後の監視機能を実施させる装置を上位装置と下位装置とで切り替える場合には、その都度、管理者等がエンジニアリングし直すことになり、監視システムを一時停止させなければならないという課題があった。
【０００５】
この発明は、上記のような課題を解決するためになされたもので、システムを一時停止させることなく、監視対象となる監視ポイントに対する監視機能の切り替えを行うことができる監視システムを提供することを目的とする。
【課題を解決するための手段】
【０００６】
この発明に係る監視システムは、監視装置と１つ以上の上位装置と１つ以上の下位装置とがネットワークを介して接続され、監視装置が上位装置または下位装置を介して１つ以上の監視ポイントを監視または制御する監視システムにおいて、監視装置は、１つ以上の監視ポイントのうちの対象監視ポイントに対する監視機能の切替指示を受け付ける切替指示受付部と、切替指示受付部が受け付けた切替指示に関する情報を上位装置に送信する切替指示送信部とを有し、上位装置は、切替指示送信部が送信した切替指示に関する情報を受信する切替指示受信部と、切替指示受信部が受信した切替指示に関する情報と、上位装置または下位装置が実施する監視機能の対応関係を示す機能切替用情報とに基づき、切替指示で指示された切替後の監視機能は上位装置または下位装置のどちらが実施する監視機能であるかを判定する機能判定部と、機能判定部が、切替後の監視機能は上位装置で実施する監視機能であると判定した場合、下位装置に対して、対象監視ポイントに対して実施中の監視機能を無効にさせる下位無効指示情報を作成する下位無効指示作成部と、上位装置において、対象監視ポイントに対する切替後の監視機能を有効とする上位有効制御部と、機能判定部が、切替後の監視機能は下位装置で実施する監視機能であると判定した場合、上位装置において、対象監視ポイントに対して実施中の監視機能を無効とする上位無効制御部と、下位装置に対して、対象監視ポイントに対する切替後の監視機能を有効にさせる下位有効指示情報を作成する下位有効指示作成部と、下位無効指示作成部が作成した下位無効指示情報、または、下位有効指示作成部が作成した下位有効指示情報を下位装置に送信する下位制御指示送信部とを有し、下位装置は、下位制御指示送信部から送信された下位無効指示情報または下位有効指示情報を受信する下位制御指示受信部と、下位制御指示受信部が受信した下位無効指示情報または下位有効指示情報に基づき、下位装置で実施する、対象監視ポイントに対する監視機能を、無効または有効にする下位監視制御部とを有することを特徴とするものである。
【発明の効果】
【０００７】
この発明によれば、システムを一時停止させることなく、監視対象となる監視ポイントに対する監視機能の切り替えを行うことができる。
【図面の簡単な説明】
【０００８】
【図１】実施の形態１に係る監視システムの構成例を示す図である。
【図２】実施の形態１に係る監視装置の構成例を示すブロック図である。
【図３】実施の形態１に係る上位装置の構成例を示すブロック図である。
【図４】実施の形態１において、テーブル記憶部が記憶する機能切替用テーブルの一例を説明するための図である。
【図５】実施の形態１に係る下位装置の構成例を示すブロック図である。
【図６】実施の形態１に係る監視システムにおける、監視装置、上位装置、および、下位装置の動作の一例を説明するフローチャートである。
【図７】実施の形態１において、テーブル記憶部が記憶する機能切替用テーブルのその他の一例を説明するための図である。
【図８】実施の形態１において、テーブル記憶部が記憶する機能切替用テーブルのその他の一例を説明するための図である。
【発明を実施するための形態】
【０００９】
以下、この発明の実施の形態について図面を参照しながら詳細に説明する。
実施の形態１．
図１は、実施の形態１に係る監視システムの構成例を示す図である。
実施の形態１の監視システムは、例えば、ビル監視システムまたはプラント監視システム等に適用される。監視システムは、通信ネットワークとして、例えば、ＢＡＣｎｅｔ（Ｂｕｉｌｄｉｎｇ  Ａｕｔｏｍａｔｉｏｎ  ａｎｄ  Ｃｏｎｔｒｏｌ  Ｎｅｔｗｏｒｋｉｎｇ  ｐｒｏｔｏｃｏｌ）を用いる。
監視システムは、図１に示すように、監視装置１と、上位装置２と、下位装置３等から構成される。
監視装置１と上位装置２とはネットワークを介して接続される。
また、上位装置２は、下位ネットワークを介して下位装置３と接続される。
また、下位装置３は、下位ネットワークを介して１つ以上の制御機器（図示省略）と接続される。制御機器とは、センサ、照明、スイッチ、モータ等であり、施設内に設置される。
【００１０】
監視装置１は、施設内の設備、または、施設内に設置された制御機器等に関する情報を、ディスプレイ等の表示装置（図示省略）に表示させ、管理者等は、表示装置を確認することで、施設内の設備、または、施設内に設置された制御機器等の監視または制御を行う。
監視装置１は、施設内の設備、または、施設内に設置された制御機器等の監視または制御を、上位装置２および下位装置３を介して行う。
監視装置１による監視動作または制御動作は、ソフトウェアに基づくＣＰＵを用いたプログラム処理によって実行される。
以下、監視装置１による監視対象となる、施設内の設備、または、施設内に設置された制御機器等を、監視ポイントというものとする。
【００１１】
上位装置２は、監視装置１による制御に従い、下位ネットワークを介して接続される下位装置３を監視または制御する。また、上位装置２は、下位ネットワークを介して、下位装置３に接続される複数の制御機器を監視または制御する。
上位装置２による監視動作または制御動作は、ソフトウェアに基づくＣＰＵを用いたプログラム処理によって実行される。
下位装置３は、上位装置２による制御に従い、下位ネットワークを介して接続される複数の制御機器を監視または制御する。
下位装置３による監視動作または制御動作は、ソフトウェアに基づくＣＰＵを用いたプログラム処理によって実行される。
【００１２】
なお、図１では、１台の上位装置２と２台の下位装置３がネットワークに接続されるものとしているが、これは一例に過ぎず、１台以上の上位装置２、および、１台以上の下位装置３が、ネットワークに接続される。
【００１３】
図２は、実施の形態１に係る監視装置１の構成例を示すブロック図である。
監視装置１は、切替指示受付部１１と、切替指示送信部１２と、表示制御部１３とを備える。
切替指示受付部１１は、１つ以上の監視ポイントのうちの対象監視ポイント（後述する）に対する監視機能の切替指示を受け付ける。実施の形態１において、監視機能とは、各監視ポイントを監視するための機能であり、監視装置１は、上位装置２または下位装置３が当該監視機能を実施して収集された各監視ポイントに関する情報に基づき、各監視ポイントの監視を行う。
なお、各監視ポイントに対して、どのような監視機能を実施させるかについては、予め、管理者等が、監視システムの構築時に、監視内容に応じて、エンジニアリング装置（図１では図示省略）から設定している。
そして、管理者等は、監視システムの運用開始後、該当の監視ポイントに対して、実施させたい監視機能を切り替えたい場合は、監視装置１から、該当の監視ポイントに対する監視機能の切替指示を入力する。具体的には、管理者等は、マウスまたはキーボード等の入力装置（図示省略）を操作して、該当の監視ポイントに対する監視機能の切替指示を入力する。
実施の形態１において、監視機能の切替を行う該当の監視ポイントを、対象監視ポイントともいうものとする。
切替指示受付部１１は、管理者等が入力した切替指示を受け付ける。
切替指示受付部１１は、受け付けた切替指示に関する情報を、切替指示送信部１２に出力する。
【００１４】
切替指示送信部１２は、切替指示受付部１１から出力された切替指示に関する情報を、上位装置２に送信する。
表示制御部１３は、表示装置（図示省略）に各種情報を表示する。
なお、表示装置は、監視装置１が備えるようにしてもよいし、監視装置１の外部に備えられるようにしてもよい。
【００１５】
図３は、実施の形態１に係る上位装置２の構成例を示すブロック図である。
上位装置２は、切替指示受信部２１と、機能判定部２２と、テーブル記憶部２３と、上位監視制御部２４と、下位制御指示作成部２５と、下位制御指示送信部２６とを備える。
上位監視制御部２４は、上位有効制御部２４１と、上位無効制御部２４２とを有する。また、下位制御指示作成部２５は、下位有効指示作成部２５１と、下位無効指示作成部２５２とを有する。
【００１６】
切替指示受信部２１は、監視装置１の切替指示送信部１２から送信された切替指示に関する情報を受信する。
切替指示受信部２１は、受信した切替指示に関する情報を、機能判定部２２に出力する。
【００１７】
機能判定部２２は、切替指示受信部２１から出力された切替指示に関する情報と、テーブル記憶部２３（後述する）に記憶されている機能切替用テーブルで定義された機能切替用情報（後述する）とに基づき、切替指示で指示された、対象監視ポイントに対する切替後の監視機能は、上位装置２または下位装置３のどちらが実施する監視機能であるかを判定する。
機能判定部２２は、対象監視ポイントに対する切替後の監視機能が、上位装置２または下位装置３のどちらが実施する監視機能であるかの判定結果に関する情報を、上位監視制御部２４および下位制御指示作成部２５に出力する。
【００１８】
テーブル記憶部２３は、機能切替用テーブルを記憶する。
ここで、図４は、実施の形態１において、テーブル記憶部２３が記憶する機能切替用テーブルの一例を説明するための図である。
機能切替用テーブルでは、上位装置２または下位装置３が実施する監視機能の対応関係を示す機能切替用情報が定義されている。当該機能切替用情報は、予め、管理者等が定義しておく。機能切替用情報は、監視ポイント毎に設定される。
例えば、図４では、監視ポイントＡについて、「偏差監視」と「上下限監視」とを切り替えて実施可能であり、「偏差監視」を行う場合は上位装置２が当該「偏差監視」を実施し、「上下限監視」を行う場合は下位装置３が当該「上下限監視」を実施する対応関係を示す機能切替用情報が、機能切替用テーブルで定義されている。
なお、実施の形態１では、図３に示すように、テーブル記憶部２３は、上位装置２に備えられるものとするが、これに限らず、テーブル記憶部２３は、上位装置２の外部の、上位装置２が参照可能な場所に備えられるようにしてもよい。
【００１９】
上位監視制御部２４は、機能判定部２２が、切替指示で指示された切替後の監視機能が上位装置２または下位装置３のどちらで実施する監視機能であると判定したかの判定結果に応じて、上位装置２における監視機能を有効または無効にする。
上位監視制御部２４の上位有効制御部２４１は、機能判定部２２が、切替指示で指示された切替後の監視機能は、上位装置２で実施する監視機能であると判定した場合、上位装置２において、対象監視ポイントに対する当該切替後の監視機能を有効とする。
上位監視制御部２４の上位無効制御部２４２は、機能判定部２２が、切替指示で指示された切替後の監視機能は、下位装置３で実施する監視機能であると判定した場合、上位装置２で実施中の、対象監視ポイントに対する監視機能を無効とする。
【００２０】
下位制御指示作成部２５は、機能判定部２２が、切替指示で指示された切替後の監視機能が、上位装置２または下位装置３のどちらで実施する監視機能であると判定したかの判定結果に応じて、下位装置３における監視機能を有効にさせる下位有効指示情報、または、下位装置３における監視機能を無効にさせる下位無効指示情報を作成する。
下位制御指示作成部２５の下位有効指示作成部２５１は、機能判定部２２が、切替指示で指示された切替後の監視機能は、下位装置３で実施する監視機能であると判定した場合、下位装置３に対して、対象監視ポイントに対する当該切替後の監視機能を有効にさせる下位有効指示情報を作成する。下位有効指示作成部２５１は、作成した下位有効指示情報を、下位制御指示送信部２６に出力する。
下位制御指示作成部２５の下位無効指示作成部２５２は、機能判定部２２が、切替指示で指示された切替後の監視機能は、上位装置２で実施する監視機能であると判定した場合、下位装置３に対して、対象監視ポイントに対して実施中の監視機能を無効にさせる下位無効指示情報を作成する。下位無効指示作成部２５２は、作成した下位無効指示情報を、下位制御指示送信部２６に出力する。
【００２１】
下位制御指示送信部２６は、下位制御指示作成部２５から出力された下位有効指示情報または下位無効指示情報を、下位装置３に送信する。
【００２２】
なお、上位装置２において、機能判定部２２は、切替指示で指示された、対象監視ポイントに対する切替後の監視機能は上位装置２または下位装置３のどちらが実施する監視機能であるかを判定するとともに、上位装置２と下位装置３のどちらかのみが対象監視ポイントに対する監視機能を有効にするよう制御する。
したがって、機能判定部２２が、切替指示で指示された切替後の監視機能は上位装置２で実施する監視機能であると判定した場合、機能判定部２２の制御に従い、例えば、下位無効指示作成部２５２は、下位装置３に対して、実施中の監視機能を無効にさせる下位無効指示情報を作成し、下位制御指示送信部２６が下位装置３に当該下位無効指示情報を送信して、下位装置３において有効となっている、該当の監視機能を無効にさせた後、上位有効制御部２４１が、上位装置２において対象監視ポイントに対する切替後の監視機能を有効とする。下位装置３の構成等については後述する。
また、機能判定部２２が、切替指示で指示された切替後の監視機能は下位装置３で実施する監視機能であると判定した場合、機能判定部２２の制御に従い、例えば、上位無効制御部２４２が、上位装置２で有効となっている、対象監視ポイントに対する監視機能を無効とした後、下位有効指示作成部２５１が、下位装置３に対して、対象監視ポイントに対する切替後の監視機能を有効にさせる下位有効指示情報を作成し、下位制御指示送信部２６が下位装置３に当該下位有効指示情報を送信して、下位装置３における該当の監視機能を有効にさせる。
【００２３】
機能判定部２２は、下位無効指示作成部２５２が下位無効指示情報を作成し、下位制御指示送信部２６が下位装置３に当該下位無効指示情報を送信するのと、上位有効制御部２４１が、上位装置２において対象監視ポイントに対する切替後の監視機能を有効にするのとが、同時になるように制御してもよい。
また、機能判定部２２は、上位無効制御部２４２が、上位装置２で有効となっている監視機能を無効にするのと、下位有効指示作成部２５１が、下位有効指示情報を作成し、下位制御指示送信部２６が下位装置３に当該下位有効指示情報を送信するのとが、同時になるように制御してもよい。
機能判定部２２は、上位装置２と下位装置３の両方が同時に監視機能を有効としている状態とならないよう、上位監視制御部２４および下位制御指示作成部２５を制御するようになっていればよい。
動作の詳細については後述する。
【００２４】
図５は、実施の形態１に係る下位装置３の構成例を示すブロック図である。
下位装置３は、下位制御指示受信部３１と、下位監視制御部３２とを備える。
【００２５】
下位制御指示受信部３１は、上位装置２の下位制御指示送信部２６から送信された下位有効指示情報または下位無効指示情報を受信する。
下位制御指示受信部３１は、受信した下位有効指示情報または下位無効指示情報を、下位監視制御部３２に出力する。
【００２６】
下位監視制御部３２は、下位制御指示受信部３１から出力された下位有効指示情報または下位無効指示情報に基づき、下位装置３で実施する、対象監視ポイントに対する監視機能を、有効または無効にする。
具体的には、下位監視制御部３２は、下位有効指示情報を取得した場合、下位装置３において、対象監視ポイントに対して、当該下位有効指示情報に基づく監視機能を有効にする。
一方、下位監視制御部３２は、下位無効指示情報を取得した場合、下位装置３で対象監視ポイントに対して実施中の監視機能を無効にする。
【００２７】
次に、実施の形態１に係る監視システムの動作について説明する。
なお、前提として、監視システムでは、予め、監視システム構築時に、ネットワークに接続されるエンジニアリング装置から、各監視ポイントに対する監視機能、および、当該監視機能を実施する装置（上位装置２または下位装置３）がエンジニアリングされており、エンジニアリングされた内容に従って、上位装置２または下位装置３が監視機能を実施している。
例えば、実施の形態１では、監視システムにおいて、監視ポイントＡに対して、「上下限監視」または「偏差監視」のいずれかの監視機能を実施可能とし、監視システム構築時に、管理者等は、「上下限監視」を行うと設定して、運用開始したものとする。また、管理者等は、「上下限監視」を、下位装置３で実施させるものと設定したものとする。この場合、管理者等は、上位装置２では、監視ポイントＡに対して監視機能の実施を無効とするようエンジニアリングしている。
【００２８】
以下の動作説明では、上述のように監視システムが構築され、運用開始された後、監視機能の切替が発生した場合の、監視システムの動作について説明する。一例として、上述の監視ポイントＡに対する監視機能の切替が発生した場合を例に説明する。
なお、以下の説明では、テーブル記憶部２３には、図４に示したような機能切替用テーブルが記憶されているものとする。
【００２９】
図６は、実施の形態１に係る監視システムにおける、監視装置１、上位装置２、および、下位装置３の動作の一例を説明するフローチャートである。
監視装置１の切替指示受付部１１は、対象監視ポイントに対する監視機能の切替指示を受け付けるまで待機し（ステップＳＴ６０１の“ＮＯ”の場合）、切替指示受付部１１は、対象監視ポイント監視機能の切替指示を受け付けると、受け付けた切替指示に関する情報を、監視装置１の切替指示送信部１２に出力する（ステップＳＴ６０１の“ＹＥＳ”の場合）。
【００３０】
例えば、現在、監視ポイントＡに対して、下位装置３が「上下限監視」を行っていたところ、当該監視ポイントＡを対象監視ポイントとして監視機能の切替を行うとすると、管理者等は、入力装置等を操作して、監視ポイントＡに対して、「偏差監視」に切り替える旨の切り替え指示を入力する。具体的には、例えば、管理者等は、入力装置を操作して切替指示入力画面表示指示を入力し、監視装置１の表示制御部１３が表示装置に切替指示入力画面を表示させる。そして、管理者等は、切替指示入力画面から、対象監視ポイントである「監視ポイントＡ」の情報と、切替後の監視機能となる「偏差監視」の情報とを、入力する。
切替指示受付部１１は、入力された、対象監視ポイント（監視ポイントＡ）の情報と、切替後の監視機能（偏差監視）の情報とを受け付け、切替指示に関する情報として、切替指示送信部１２に出力する。
なお、表示制御部１３は、切替指示入力画面に、指示された監視機能において必要な設定項目の情報等を入力する入力部も表示させることができる。管理者等は、必要に応じて、設定項目の情報等を入力し、切替指示受付部１１は、当該設定項目の情報等をあわせて受け付け、切替指示に関する情報として、切替指示送信部１２に出力する。
【００３１】
切替指示送信部１２は、ステップＳＴ６０１にて切替指示受付部１１から出力された切替指示に関する情報を、上位装置２に送信する（ステップＳＴ６０２）。
【００３２】
上位装置２の切替指示受信部２１は、ステップＳＴ６０２にて監視装置１の切替指示送信部１２から送信された切替指示に関する情報を受信する（ステップＳＴ６０３）。
切替指示受信部２１は、受信した切替指示に関する情報を、上位装置２の機能判定部２２に出力する。
【００３３】
機能判定部２２は、ステップＳＴ６０３にて切替指示受信部２１から出力された切替指示に関する情報と、テーブル記憶部２３に記憶されている機能切替用テーブル（図４参照）とに基づき、切替指示で指示された切替後の監視機能は、上位装置２または下位装置３のどちらが実施する監視機能であるかを判定する（ステップＳＴ６０５）。
機能判定部２２は、監視機能の判定結果に関する情報を、上位装置２の上位監視制御部２４および下位制御指示作成部２５に出力する。
【００３４】
ここでは、切替指示に関する情報として、「監視ポイントＡ」に対して、「偏差監視」に切り替える旨の情報を受け付けたものとしているので、機能判定部２２は、当該「偏差監視」は、上位装置２で実施する監視機能であると判定する。
そして、機能判定部２２は、切替後の監視機能「偏差監視」を実施する装置は上位装置２である旨の情報を、監視機能の判定結果に関する情報として、上位監視制御部２４および下位制御指示作成部２５に出力する。
【００３５】
ステップＳＴ６０４にて機能判定部２２から出力された監視機能の判定結果に関する情報に基づき、切替後の監視機能は上位装置２で実施すべき監視機能である場合（ステップＳＴ６０５の“ＹＥＳ”の場合）、下位制御指示作成部２５の下位無効指示作成部２５２は、下位装置３に対して、対象監視ポイントに対して実施中の監視機能を無効にさせる下位無効指示情報を作成する（ステップＳＴ６０６）。そして、下位無効指示作成部２５２は、作成した下位無効指示情報を下位制御指示送信部２６に出力し、下位制御指示送信部２６は、下位無効指示情報を下位装置３に送信する。なお、下位制御指示送信部２６は、対象監視ポイントの監視を行っている下位装置３に、下位無効指示情報を送信する。
下位装置３の下位制御指示受信部３１は、上位装置２の下位制御指示送信部２６から送信された下位無効指示情報を受信し、下位装置３の下位監視制御部３２は、下位制御指示受信部３１が受信した下位無効指示情報に基づき、下位装置３において、対象監視ポイントに対して現在実施中の監視機能を無効にする。
また、上位監視制御部２４の上位有効制御部２４１は、上位装置２において、対象監視ポイントに対する当該切替後の監視機能を有効にする（ステップＳＴ６０７）。
各監視ポイントの監視をどの上位装置２または下位装置３が行っているかの情報は、予め、上位装置２が参照可能な場所に記憶されている。下位制御指示送信部２６は、当該予め記憶されている情報に基づき、下位無効指示情報を送信する下位装置３を特定するようにすればよい。
【００３６】
ここでは、機能判定部２２は、切替後の監視機能「偏差監視」を実施する装置は上位装置２であると判定したので、下位無効指示作成部２５２は、下位装置３に対して、監視ポイントＡに対して現在実施中の「上下限監視」を無効にさせる下位無効指示情報を作成する。また、上位有効制御部２４１は、上位装置２において、監視ポイントＡに対する「偏差監視」を有効にする。
【００３７】
一方、ステップＳＴ６０４にて機能判定部２２から出力された監視機能の判定結果に関する情報に基づき、切替後の監視機能は下位装置３で実施すべき監視機能である場合（ステップＳＴ６０５の“ＮＯ”の場合）、上位監視制御部２４の上位無効制御部２４２は、上位装置２で、対象監視ポイントに対して現在実施中の監視機能を無効にする（ステップＳＴ６０８）。
また、下位制御指示作成部２５の下位有効指示作成部２５１は、下位装置３に対して、対象監視ポイントに対して切替後の監視機能を有効にさせる下位有効指示情報を作成する（ステップＳＴ６０９）。そして、下位有効指示作成部２５１は、作成した下位有効指示情報を下位制御指示送信部２６に出力し、下位制御指示送信部２６は、下位有効指示情報を下位装置３に送信する。なお、下位制御指示送信部２６は、対象監視ポイントの監視を行っている下位装置３に、下位有効指示情報を送信する。各監視ポイントの監視をどの上位装置２または下位装置３が行っているかの情報は、予め、上位装置２が参照可能な場所に記憶されている。下位制御指示送信部２６は、当該予め記憶されている情報に基づき、下位有効指示情報を送信する下位装置３を特定するようにすればよい。
下位装置３の下位制御指示受信部３１は、上位装置２の下位制御指示送信部２６から送信された下位有効指示情報を受信し、下位装置３の下位監視制御部３２は、下位制御指示受信部３１が受信した下位有効指示情報に基づき、下位装置３において、対象監視ポイントに対する切替後の監視機能を有効にする。
【００３８】
以上のようにして、対象監視ポイントに対して、上位装置２または下位装置３が実施する監視機能の切替が自動的に行われる。
監視装置１にて監視機能の切替指示を受け付け、上位装置２にて切替後の監視機能を上位装置２で実施するか下位装置３で実施するかの判断をするようにしたので、管理者等は、対象監視ポイントと、切替後の監視機能を指定するのみでよいため、実際に、所望の切替後の監視機能を、上位装置２が実施するのか、下位装置３が実施するのかということを、切替時に意識する必要がない。
【００３９】
また、管理者等からの切替指示に基づき、監視システム内で自動的に監視機能の切替を行うため、運用開始後の監視システムを、管理者等が監視機能の切替作業を行うために一時停止させることなく、当該監視機能の切替を行うことができる。
【００４０】
さらに、監視機能の切替時に、切替後の監視機能を実施しない上位装置２または下位装置３では、対象監視ポイントに対して実施中の監視機能を無効とするようにした。これにより、管理者等が、その都度、必要のない監視機能を停止させる制御を行うことなく、自動的に必要のない監視機能を無効し、上位装置２および下位装置３間で、二重に監視機能を実施している状態になることを防ぐことができる。例えば、上位装置２および下位装置３間で、二重に異なる監視機能を実施してしまうと、何かあった場合の警報等も二重に発生してしまい、正常に監視ポイントの監視または制御が行えなくなるおそれがある。実施の形態１に係る監視システムでは、管理者等が何らかの制御を行わなくても、このような、二重に異なる監視機能を実施してしまうことで正常に監視ポイントの監視または制御が行えなくなる問題が発生することを防ぐことができる。
【００４１】
なお、以上の説明では、監視システムにおいて、監視ポイントＡに対して、「上下限監視」または「偏差監視」のいずれかの監視機能を実施可能とするものとしたが、これは一例に過ぎず、各監視ポイントに対して切替可能に実施させるあらゆる監視機能に対して、上述の動作が適用できる。例えば、監視システムにおいて、対象監視ポイントに対して、「高速上下限監視機能」または「標準上下限監視機能」のいずれかの監視機能を実施する場合に、上述の動作を適用させることもできる。「高速上下限監視機能」と「標準上下限監視機能」の違いは監視周期である。
例えば、上位装置２が高スペックのＣＰＵを有し、上位装置２は１秒周期で監視機能を実施でき、下位装置３が上位装置２よりも低スペックで、３０秒周期でしか監視機能を実施できないという場合がある。このような場合、対象監視ポイントに対して、警報発生を素早く検知したい場合等には上位装置２が「高速上下限監視機能」を実施し、警報発生を素早く検知する必要がない場合等には下位装置３が「標準上下限監視機能」を実施するようにして、両監視機能を切替可能とすることができる。
【００４２】
また、以上の説明では、一例として、管理者等は、監視機能の切替を行う際、対象監視ポイントを指定し、上位装置２において、監視ポイント単位で監視機能の切替制御を行うものとした。
しかし、これは一例に過ぎず、上位装置２は、装置（上位装置２または下位装置３）単位、または、機能単位で、監視機能の切替制御を行うこともできる。
例えば、装置単位で監視機能の切替制御を行う場合、管理者等は、監視装置１に表示させた切替指示入力画面から、切替対象の装置の情報と、切替後の監視機能の情報とを入力する。
この場合、上位装置２のテーブル記憶部２３に記憶されている機能切替用テーブルでは、図７に示すように、装置と、当該装置に属する監視ポイントとを対応付けた機能切替用情報が定義される。
上位装置２の切替指示受信部２１は、監視装置１から送信された切替指示に関する情報を受信し、機能判定部２２は、図７に示すような機能切替用情報に基づき、切替指示で指示された、対象となる装置に属する監視ポイントを対象監視ポイントとし、各対象監視ポイントに対する切替後の監視機能は、上位装置２または下位装置３のどちらが実施する監視機能であるかを判定する。
そして、上位監視制御部２４および下位制御指示作成部２５は、それぞれ、上位装置２および下位装置３における監視機能を有効または無効にする。上位装置２における監視機能の切替制御の具体的な動作は、上述のとおりであるため、重複した説明を省略する。
例えば、機能切替用テーブルには図７に示すような機能切替用情報が定義されており、管理者等が、監視装置１から、下位装置Ａを上下限３段階監視に切り替える切替指示を入力したとすると、上位装置２では、監視ポイントＡおよび監視ポイントＢに対して、上下限３段階監視を有効とするよう、上位装置２および下位装置３の監視機能の制御が行われる。
【００４３】
また、例えば、機能単位で監視機能の切替制御を行う場合、管理者等は、監視装置１に表示させた切替指示入力画面から、切替後の監視機能の情報を入力する。
この場合、上位装置２のテーブル記憶部２３に記憶されている機能切替用テーブルでは、図８に示すように、装置と、当該装置に属する監視ポイントと、各監視ポイントに対してどの装置がどの監視機能を実施しているかの情報とが対応付けられた機能切替用情報が定義される。図８において、「○」が付与されている機能が、実施している監視機能である。
上位装置２の切替指示受信部２１は、監視装置１から送信された切替指示に関する情報を受信し、機能判定部２２は、図８に示すような機能切替用情報に基づき、切替指示で指示された、切替後の監視機能が有効となっていない監視ポイントを対象監視ポイントとし、各対象監視ポイントに対する切替後の監視機能は、上位装置２または下位装置３のどちらが実施する監視機能であるかを判定する。
そして、上位監視制御部２４および下位制御指示作成部２５は、それぞれ、上位装置２および下位装置３における監視機能を有効または無効にする。上位装置２における監視機能の切替制御の具体的な動作は、上述のとおりであるため、重複した説明を省略する。
例えば、機能切替用テーブルには図８に示すような機能切替用情報が定義されており、管理者等が、監視装置１から、偏差監視に切り替える切替指示を入力したとすると、上位装置２では、監視ポイントＢおよび監視ポイントＣに対して、偏差監視を有効とするよう、上位装置２および下位装置３の監視機能の制御が行われ、結果として、監視ポイントＡ、監視ポイントＢ、および、監視ポイントＣにおいて、偏差監視が有効となる。
【００４４】
なお、管理者等は、切替の対象とする現在の監視機能と、切替後の監視機能の情報とを、切替指示として入力するようにしてもよい。
この場合、上位装置２は、受信した切替指示に関する情報と、機能切替用情報に基づき、切替の対象となる監視機能が有効になっている監視ポイントを対象監視ポイントとし、各対象監視ポイントに対して、切替制御を行う。
【００４５】
また、図８を用いて一例を説明したように、監視機能間での切替は、２つの監視機能間での切替に限らず、上位装置２は、複数の監視機能間での監視機能の切替の制御を行うことも可能である。
【００４６】
以上のように、実施の形態１によれば、監視システムにおいて、監視装置１は、１つ以上の監視ポイントのうちの対象監視ポイントに対する監視機能の切替指示を受け付ける切替指示受付部１１と、切替指示受付部１１が受け付けた切替指示に関する情報を上位装置２に送信する切替指示送信部１２とを有し、上位装置２は、切替指示送信部１２が送信した切替指示に関する情報を受信する切替指示受信部２１と、切替指示受信部２１が受信した切替指示に関する情報と、上位装置２または下位装置３が実施する監視機能の対応関係を示す機能切替用情報とに基づき、切替指示で指示された切替後の監視機能は上位装置２または下位装置３のどちらが実施する監視機能であるかを判定する機能判定部２２と、機能判定部２２が、切替後の監視機能は上位装置２で実施する監視機能であると判定した場合、下位装置３に対して、対象監視ポイントに対して実施中の監視機能を無効にさせる下位無効指示情報を作成する下位無効指示作成部２５２と、上位装置２において、対象監視ポイントに対する切替後の監視機能を有効とする上位有効制御部２４１と、機能判定部２２が、切替後の監視機能は下位装置３で実施する監視機能であると判定した場合、上位装置２において、対象監視ポイントに対して実施中の監視機能を無効とする上位無効制御部２４２と、下位装置３に対して、対象監視ポイントに対する切替後の監視機能を有効にさせる下位有効指示情報を作成する下位有効指示作成部２５１と、下位無効指示作成部２５２が作成した下位無効指示情報、または、下位有効指示作成部２５１が作成した下位有効指示情報を下位装置に送信する下位制御指示送信部２６とを有し、下位装置３は、下位制御指示送信部２６から送信された下位無効指示情報または下位有効指示情報を受信する下位制御指示受信部３１と、下位制御指示受信部３１が受信した下位無効指示情報または下位有効指示情報に基づき、下位装置３で実施する、対象監視ポイントに対する監視機能を、無効または有効にする下位監視制御部とを有するように構成した。そのため、システムを一時停止させることなく、監視対象となる監視ポイントの監視機能の切り替えを行うことができる。また、管理者等が、その都度、必要のない監視機能を停止させる制御を行うことなく、自動的に必要のない監視機能を無効し、上位装置２および下位装置３間で、二重に監視機能を実施している状態になることを防ぐことができる。
【００４７】
また、本願発明はその発明の範囲内において、実施の形態の任意の構成要素の変形、もしくは実施の形態の任意の構成要素の省略が可能である。
【符号の説明】
【００４８】
１  監視装置
２  上位装置
３  下位装置
１１  切替指示受付部
１２  切替指示送信部
１３  表示制御部
２１  切替指示受信部
２２  機能判定部
２３  テーブル記憶部
２４  上位監視制御部
２４１  上位有効制御部
２４２  上位無効制御部
２５  下位制御指示作成部
２５１  下位有効指示作成部
２５２  下位無効指示作成部
２６  下位制御指示送信部
３１  下位制御指示受信部
３２  下位監視制御部
【図１】
2019115010.tif 000003
【図２】
2019115010.tif 000004
【図３】
2019115010.tif 000005
【図４】
2019115010.tif 000006
【図５】
2019115010.tif 000007
【図６】
2019115010.tif 000008
【図７】
2019115010.tif 000009
【図８】
2019115010.tif 000010